(57)【要約】【課題】容易に石板と薬草を入れる薬草トレイを出し入れすることができ、石板と薬草を簡単に交換することができる岩盤浴用寝床を提供するものである。【解決手段】熱源３の上に、熱源３により暖められて遠赤外線、放射線、マイナスイオンを発生する石からなる石板１０を収納した岩盤５が配置されている岩盤浴用寝床１において、岩盤５が、縦枠７とこの縦枠６に直交して間隔をおいて配置された複数の横枠７とにより形成された凹部からなる石板・薬草トレイ収納空間９を備え、石板・薬草トレイ収納空間９に対して、上下方向に貫通する複数の貫通孔が形成された石板１０と、石板１０の下に配置される、薬草１２を入れる薬草トレイ１１のそれぞれが独立して出し入れ可能に配置されている。【選択図】図１
2008142441.tif 000002
【特許請求の範囲】
【請求項１】
熱源の上に、熱源により暖められて遠赤外線、放射線、マイナスイオンを発生する石からなる石板を収納した岩盤が配置されている岩盤浴用寝床において、
前記岩盤が、縦枠とこの縦枠に直交して間隔をおいて配置された複数の横枠とにより形成された凹部からなる石板・薬草トレイ収納空間を備え、
前記石板・薬草トレイ収納空間に対して、上下方向に貫通する複数の貫通孔が形成された石板と、前記石板の下に配置される、薬草を入れる薬草トレイのそれぞれが独立して出し入れ可能に配置されていることを特徴とする岩盤浴用寝床。
【請求項２】
前記石板・薬草トレイ収納空間は前記縦枠と対向する側が開放され、前記横枠の石板・薬草トレイ収納空間の側の側面に段部が縦枠と直交する方向に形成され、この段部に前記石板がスライド可能に支持されていることを特徴とする請求項１記載の岩盤浴用寝床。
【請求項３】
石板および薬草トレイの両端には、石板・薬草トレイ収納空間からフックで挟んで持ち上げるためにフック掛け用の切り欠きが形成されていることを特徴とする請求項２記載の岩盤浴用寝床。
【請求項４】
石板・薬草トレイ収納空間は平行に対向した一対の縦枠と、この縦枠の間に直交して間隔をおいて配置された複数の横枠とにより形成され、石板・薬草トレイ収納空間に出し入れする石板および薬草トレイの両端には、それぞれ石板・薬草トレイ収納空間からフックで挟んで持ち上げるためのフック掛け用の切り欠きが形成されていることを特徴とする請求項１記載の岩盤浴用寝床。
【発明の詳細な説明】
【技術分野】
【０００１】
本発明は、岩盤浴用寝床に関し、特に石板の着脱及び薬草の交換が容易にできる岩盤浴用寝床に関する。
【背景技術】
【０００２】
岩盤浴はトルマリン石、麦飯石、あるいはゲルマニウム鉱石などの石板の上に横たわり、石板を下から温水や電気ヒータで暖めることにより発生する遠赤外線、放射線あるいはマイナスイオンなどの作用で体を温めるもので、健康や美容のために利用されている（特許文献１、２参照）。
【０００３】
図５は従来の岩盤浴用寝床の一例を示す図である。
【０００４】
岩盤浴用寝床１はベッドの台座２に設置される。岩盤浴用寝床１は、温水、電気ヒータなどを備えた板状の熱源３の上に断熱板４を介して岩盤５が設置される。岩盤５は、縦枠６と、この縦枠６に直交して間隔をおいて配置された複数の横枠７とで形成された石板収納空間内に石板１０が収納される。石板１０は、従来の石板と同様に、遠赤外線、放射線、マイナスイオンなどを発生するトルマリン石、麦飯石、あるいはゲルマニウム鉱石などを使用する。
【０００５】
また、岩盤浴において薬草浴をする場合に、石板に上下に貫通した複数個の孔を設けた構造にして、この孔に薬草入りフィルター又は薬草粉砕物を埋設可能にしたり、あるいは石板の下に薬草を敷き込み、薬草を熱することにより石板の孔から薬草成分を寝床全体に均一に発散可能にしたものが知られている（特許文献３参照）。
【特許文献１】特開２００６−２８８７１３号公報
【特許文献２】実用新案登録第３１１６０１７号公報
【特許文献３】特開２００５−３０５０７０号公報
【発明の開示】
【発明が解決しようとする課題】
【０００６】
石板の上には寝ころだ人の発汗により汗が落ち、そのままにしておくと不潔感があるだけでなく、細菌や病原菌などにより臭いが発生するので、石板を清潔にするために細部までの清掃および殺菌消毒などが必要である。石板を洗うために枠内から取り外す際、石板が外枠内にほとんど隙間なく配置され、また石板がかなりの重量を有していることから、石板の取り外し、あるいは清掃した後に枠内に戻す作業が容易ではなかった。
【０００７】
また、薬草を使用して薬草浴をする場合、特許文献３では、薬草を薬草入りフィルター又は薬草粉砕物に加工し、さらにこれらを石板の孔に詰める必要があるために準備に手間が掛かる。また、薬草を石板の下に敷く場合も、薬草を交換する際には石板を取り外さなくてはならないので薬草の交換にも手間が掛かる。そのため、石板あるいは薬草の交換や除去など関する利用者の要求に対して即座に対応できないという問題があった。
【０００８】
そこで、本発明は、容易に石板と薬草を入れる薬草トレイを出し入れすることができ、石板と薬草を簡単に交換することができる岩盤浴用寝床を提供するものである。
【課題を解決するための手段】
【０００９】
本発明は、熱源の上に、熱源により暖められて遠赤外線、放射線、マイナスイオンを発生する石からなる石板を収納した岩盤が配置されている岩盤浴用寝床において、前記岩盤が、縦枠とこの縦枠に直交して間隔をおいて配置された複数の横枠とにより形成された凹部からなる石板・薬草トレイ収納空間を備え、前記石板・薬草トレイ収納空間に対して、上下方向に貫通する複数の貫通孔が形成された石板と、前記石板の下に配置される、薬草を入れる薬草トレイのそれぞれが独立して出し入れ可能に配置されていることを特徴とする。
【００１０】
前記構成において、前記石板・薬草トレイ収納空間は前記縦枠と対向する側が開放され、前記横枠の石板・薬草トレイ収納空間の側の側面に段部が縦枠と直交する方向に形成され、この段部に前記石板がスライド可能に支持される構成とすることができ、さらに、石板および薬草トレイの両端に、石板・薬草トレイ収納空間からフックで挟んで持ち上げるためにフック掛け用の切り欠きを併せて形成してもよい。
【００１１】
また、石板・薬草トレイ収納空間は平行に対向した一対の縦枠と、この縦枠の間に直交して間隔をおいて配置された複数の横枠とにより形成され、石板・薬草トレイ収納空間に出し入れする石板および薬草トレイの両端には、それぞれ石板・薬草トレイ収納空間からフックで挟んで持ち上げるためのフック掛け用の切り欠きを形成する構成としてもよい。
【発明の効果】
【００１２】
本発明は、石版を簡単に取り出して交換できるので、臭いを発生させる原因である細菌並びに病原菌などの発生を抑制することができる。
【００１３】
また、薬草トレイの出し入れも簡単にできるので、利用者の、新しい薬草あるいは各種の薬草交換、あるいは薬草の除去の注文に対して即座に対応することができる。
【００１４】
また、本発明は、石板と薬草トレイを備えているので、一度の入浴で岩盤浴効果と薬草浴の効果を同時に得ることができる。
【発明を実施するための最良の形態】
【００１５】
以下、図面に基づき本発明の実施の形態を説明する。  
【実施例１】
【００１６】
図１（ａ）は本発明による岩盤浴用寝床の実施例１を示す斜視図、（ｂ）はＡ−Ａ線断面図、図２は石板と薬草入れケース、薬草パックを示す斜視図である。
【００１７】
図１（ａ）に示す本実施例では、岩盤浴用寝床１はベッドの台座２に設置される。岩盤浴用寝床１は、ベッドの台座２に設置しないで、設置場所の雰囲気（例えば、和風）などに合わせて床の上に設置してもよい。
【００１８】
図１に示すように、岩盤浴用寝床１は、従来の岩盤浴用寝床と同様に温水、電気ヒータなどを備えた板状の熱源３の上に断熱板４を介して岩盤５が積層される。熱源３と台座２との間には断熱材を設けてもよい。
【００１９】
岩盤５は、一つの縦枠６と、この縦枠６に直交して間隔をおいて櫛状に配置された複数の横枠７とで形成され、縦枠６と対向する側が開放された凹部からなる空間により、石板１０と薬草トレイ１１（以下両者を合わせて「石板ユニット」という。）を収納する石板・薬草トレイ収納空間９が形成される。縦枠６と横枠７の材質は、花崗岩、大理石などの石材が好ましいが、合成樹脂製、陶器製あるいはセラミック製などで形成してもよい。
【００２０】
石板ユニット８は、石板１０と、石板の下に配置される薬草トレイ１１からなり、薬草トレイ１１には薬草１２が収納される。石板１０は、横枠７の側面に縦枠と直交する方向に段部１３が形成され、石板１０が段部１３にスライド可能に支持され、石板・薬草トレイ収納空間９に対して出入り可能となる。薬草トレイ１１は石板１０の下側にスライド可能に配置される。
【００２１】
石板１０は、従来の石板と同様に、遠赤外線、放射線、マイナスイオンなどを発生するトルマリン石、麦飯石、あるいはゲルマニウム鉱石などを使用する。石板１０には、上下に貫通する複数の貫通孔１４が間隔をおいて形成される。貫通孔１４の下より暖められた薬草１２の成分が貫通孔１４を上昇し抜けて発散する。
【００２２】
図１（ａ）では、石板１０には石板・薬草トレイ収納空間９の開放側に縦枠６が両側に配置されているよう見せて岩盤５の見映えをよくするため、すべての石板ユニット８が石板・薬草トレイ収納空間９に収納されると、縦枠６と対向する他方の縦枠となる枠形成板１５が接続されている。なお、枠形成板１５は縦枠６の対向する側に縦枠を見せる必要がなければ、あえて接続しなくてもよい。
【００２３】
図２に示すように、枠形成板１５には、石板１０を石板・薬草トレイ収納空間９から引き出すための取っ手１６が形成されている。取っ手１６は、枠形成板１５を設けない場合には、石板１０に取り付ける。薬草トレイ１１の端面にも、石板１０と同様に薬草トレイ１１を石板・薬草トレイ収納空間９から引き出すための取っ手１７が形成されている。
【００２４】
薬草１２は、薬草トレイ１１にそのまま入れてもよく、あるいは図２に示すようにパックの形にしてもよい。薬草１２には、例えば、よもぎ、十薬などを使用することができる。
【００２５】
次に、本実施例の岩盤浴用寝床における石板ユニットの交換方法について説明する。
【００２６】
石板ユニット８を清掃や薬草１２を交換する場合、取っ手１６を手前に引いて石板１０をスライドさせて石板・薬草トレイ収納空間９から引き出す。次いで、薬草トレイ１１を、取っ手１７を手前に引いて石板・薬草トレイ収納空間９から取り出す。
【００２７】
石板１０を交換したり、あるいは石板１０の清掃が完了して石板ユニット８を石板・薬草トレイ収納空間９へ戻す場合、薬草トレイ１１を石板・薬草トレイ収納空間９へ押し込み、薬草を入れた後、石板・薬草トレイ収納空間９へ石板１０をスライドさせて押し込むことにより石板ユニット８のセットが完了する。
【００２８】
薬草１２のみを交換するあるいは薬草１２を除去するだけの場合は、薬草トレイ１１を、取っ手１７を手前に引いて石板・薬草トレイ収納空間９から取り出し、薬草１２の交換あるいは除去した後、薬草トレイ１１を石板・薬草トレイ収納空間９へ押し込むだけでよい。
【００２９】
なお、本実施例において、設置場所によっては、石板１０及び薬草トレイ１１が石板・薬草トレイ収納空間９から引き出しができない場合には、次に説明する実施例２に示すように、フックをかける切り欠き１８を併せて形成し、上方向に引き上げることができるようにしてもよい。
【実施例２】
【００３０】
図３（ａ）は本発明による岩盤浴用寝床の実施例２を示す斜視図、（ｂ）はＢ−Ｂ線断面図、石板と薬草入れケースと薬草パックを示す斜視図、図４は石板と薬草入れケースと薬草パックを示す斜視図である。実施例１と同一部材には同一符号を付してその説明は省略する。
【００３１】
図３において、岩盤浴用寝床１はベッドの台座２に設置される。岩盤浴用寝床１は、従来の岩盤浴用寝床と同様に温水、電気ヒータなどを備えた板状の熱源３の上に断熱板４を介して岩盤５が積層される。
【００３２】
岩盤５は平行に対向した一対の縦枠６と、この縦枠６の間に直交して間隔をおいて配置された複数の横枠７とにより形成された凹部により石板ユニット８を収納するための石板・薬草トレイ収納空間９に石板ユニット１０が配置される。縦枠６と横枠７の材質は実施例１と同じである。
【００３３】
石板ユニット８は、石板１０と、石板１０の下に配置される薬草トレイ１１からなり、薬草トレイ１１には薬草１２が収納される。
【００３４】
図４に示すように、石板１０の両端には、それぞれ石板・薬草トレイ収納空間９からフックで挟んで持ち上げるためにフック掛け用の切り欠き１８を形成する。切り欠き１８は、石板１０を持ち上げた際に回転しないように複数箇所設けることが望ましい。石板１０は、実施例１と同じ石材を使用し、石板１０には、石板１０の上下に貫通する複数の貫通孔１４が形成される。
【００３５】
次に、本実施例の岩盤浴用寝床における石板ユニットの交換方法について説明する。
【００３６】
石板ユニット８を交換する場合、フックを石板１０の切り欠き１８に引っ掛けて石板・薬草トレイ収納空間９から持ち上げる。
【００３７】
次いで、薬草トレイ１１を石板・薬草トレイ収納空間９から取り出す。
【００３８】
石板１０の清掃が完了し、石板ユニット８を石板・薬草トレイ収納空間９へ戻す場合、薬草トレイ１１を石板・薬草トレイ収納空間９へ置き、薬草を入れた後、石板・薬草トレイ収納空間９へフックで挟んだ石板１０を降ろすことにより石板ユニット８へのセットが完了する。
【図面の簡単な説明】
【００３９】
【図１】（ａ）は本発明による岩盤浴用寝床の実施例１を示す斜視図、（ｂ）はＡ−Ａ線断面図である。
【図２】実施例１の石板と薬草入れケース、薬草パックを示す斜視図である。
【図３】（ａ）は本発明による岩盤浴用寝床の実施例２を示す斜視図、（ｂ）はＢ−Ｂ線断面図である。
【図４】実施例２の石板と薬草入れケースと薬草パックを示す斜視図である。
【図５】従来の岩盤浴用寝床の一例を示す図である。
【符号の説明】
【００４０】
１：岩盤浴用寝床            ２：台座
３：熱源                    ４：断熱板
５：岩盤                    ６：縦枠
７：横枠                    ８：石板ユニット
９：石板・薬草トレイ収納空間  １０：石板
１１：薬草トレイ            １２：薬草
１３：段部                  １４：貫通孔
１５：枠形成板              １６：取っ手
１７：取っ手                １８：切り欠き              
【図１】
2008142441.tif 000003
【図２】
2008142441.tif 000004
【図３】
2008142441.tif 000005
【図４】
2008142441.tif 000006
【図５】
2008142441.tif 000007